(57)【要約】      （修正有）【課題】捕虫紙自体による虫の誘引効果を高めた、イエバエ、キンバエ類、ショウジョウバエ等の虫を捕虫するための捕虫紙等を提供する。【解決手段】一般的な黄緑色の捕虫紙の捕獲効果を上回る、赤系色に着色した捕虫紙を考案した。表面が粘着力を有するテープ状の捕虫紙１０のうち、下方の薄いグレーで示された帯状の領域を除く、濃い二色のグレーに着色されている領域に対応する赤系色着色部１１は、赤系色に着色されている。捕虫紙は両端に巻き取りリールを備えたカートリッジ内に収納されていて、使用前は一方のリールに巻き取られた状態にある捕虫紙が、捕虫器本体を起動すると一定の速度で逆側のリールに巻き取られていき、捕虫紙の露出部にイエバエ、キンバエ類、ショウジョウバエ等の虫を付着する構造の捕虫器本体に装着して使用することとすればよい。【選択図】図１
0003235180.tif 000002
【実用新案登録請求の範囲】
【請求項１】
使用時に露出して虫が付着する表面が粘着力を有するテープ状の捕虫紙であって、
使用時に露出する面が赤系色に着色されていることを特徴とする捕虫紙。
【請求項２】
使用時に露出する面の少なくとも８５％程度の領域が赤系色に着色されていることを特徴とする請求項１記載の捕虫紙。
【請求項３】
一方の端に備えられた巻き取りリールに収納された捕虫紙が、捕虫器本体が起動されると逆側の端に備えられた巻き取りリールに巻き取られていく、捕虫器本体に装着して使用されるカートリッジに収納されていれること
を特徴とする請求項１又は２記載の捕虫紙。
【請求項４】
一方の端に備えられた巻き取りリールに収納されたテープ状の捕虫紙が、捕虫器本体が起動されると逆側の端に備えられた巻き取りリールに巻き取られていく、捕虫器本体に装着して使用されるカートリッジであって、
前記捕虫紙は、使用時に露出して虫が付着する表面が粘着力を有しており、使用時に露出する面が赤系色に着色されていることを特徴とするカートリッジ。
【請求項５】
使用時に露出して虫が付着する表面が粘着力を有するテープ状の捕虫紙を用いた捕虫器であって、
捕虫紙の露出部の一方の端に収納された前記捕虫紙は、捕虫器本体が起動されると逆側の端に巻き取られていき、
前記捕虫紙は、使用時に露出する面が赤系色に着色されていることを特徴とする捕虫器。
【考案の詳細な説明】
【技術分野】
【０００１】
本考案は、イエバエ、キンバエ類、ショウジョウバエ等の虫を捕虫するための捕虫紙、捕虫紙を収納したカートリッジ、及び捕虫紙を用いた捕虫器に関するものである。
【背景技術】
【０００２】
表面が粘着力を有するテープ状の捕虫紙を収納する巻き取りリールが両端に備えられ、捕虫器に装着して使用されるカートリッジが提供されている（非特許文献１参照）。使用前は一方のリールに巻き取られた状態にある捕虫紙は、捕虫器本体を起動すると一定の速度で逆側のリールに巻き取られていくので、虫が付着して粘着力が低下した部分はリールに巻き取られ、捕虫紙の露出部分の粘着力が常に保たれる構造となっている。
【先行技術文献】
【非特許文献】
【０００３】
【非特許文献１】米国ＮＰＯインターネットアーカイブ・パラクリプスホームページ「Ｃａｐｔｕｒｅ  Ｃａｒｔｒｉｄｇｅ」、［２０２０年７月２日掲載］、インターネット＜URL：https://web.archive.org/web/20200702145856/http://paraclipse.com/petro-service/capture-cartridge/＞
【考案の開示】
【考案が解決しようとする課題】
【０００４】
非特許文献１に開示されている捕虫紙をはじめ、一般に捕虫紙の表面は、捕獲された虫を確認する際の視認性等を考慮して黄緑系に着色されたものがほとんどである。捕虫紙への虫の誘引は誘引灯等によって行われるのが一般的であり、捕虫紙の色彩と虫の捕獲量の関係が十分に考察されている状況とはいえない。
【０００５】
本考案は、このような課題に対応するためになされたものであり、捕虫紙自体による虫の誘引効果を高めた、イエバエ、キンバエ類、ショウジョウバエ等の虫を捕虫するための捕虫紙、捕虫紙を収納したカートリッジ、及び捕虫紙を用いた捕虫器を提供することを目的とするものである。
【課題を解決するための手段】
【０００６】
考案者は実験を繰り返し、一般的な黄緑色の捕虫紙の捕獲効果を上回る、赤系色に着色した捕虫紙を考案した。
【０００７】
本考案にかかる捕虫紙は、使用時に露出して虫が付着する表面が粘着力を有するテープ状の捕虫紙であって、使用時に露出する面が赤系色に着色されていることを特徴とする捕虫紙である。
【０００８】
本考案にかかる捕虫紙は、使用時に露出する面の少なくとも８５％程度の領域が赤系色に着色されていることを特徴とすることもできる。
【０００９】
本考案にかかる捕虫紙は、一方の端に備えられた巻き取りリールに収納された捕虫紙が、捕虫器本体が起動されると逆側の端に備えられた巻き取りリールに巻き取られていく、捕虫器本体に装着して使用されるカートリッジに収納されていることを特徴とすることもできる。
【００１０】
本考案にかかる捕虫紙を収納したカートリッジは、一方の端に備えられた巻き取りリールに収納されたテープ状の捕虫紙が、捕虫器本体が起動されると逆側の端に備えられた巻き取りリールに巻き取られていく、捕虫器本体に装着して使用されるカートリッジであって、前記捕虫紙は、使用時に露出して虫が付着する表面が粘着力を有しており、使用時に露出する面が赤系色に着色されていることを特徴とするカートリッジである。
【００１１】
本考案にかかる捕虫紙を用いた捕虫器は、使用時に露出して虫が付着する表面が粘着力を有するテープ状の捕虫紙を用いた捕虫器であって、捕虫紙の露出部の一方の端に収納された前記捕虫紙は、捕虫器本体が起動されると逆側の端に巻き取られていき前記捕虫紙は、使用時に露出する面が赤系色に着色されていることを特徴とする捕虫器である。
【考案の効果】
【００１２】
本考案によると、捕虫紙自体による虫の誘引効果を高められた、捕虫紙、捕虫紙を収納したカートリッジ、及び捕虫紙を用いた捕虫器が提供され、イエバエ、キンバエ類、ショウジョウバエ等の捕虫効率を高めることが期待できる。
【図面の簡単な説明】
【００１３】
【図１】本考案にかかる捕虫紙の表面図の一例である。
【図２】本考案にかかる捕虫紙が収納されたカートリッジの一例を示す図である。
【図３】本考案にかかる捕虫紙を用いた捕虫器の一例を示す図である。
【図４】本考案にかかる捕虫紙を用いた捕虫器の使用状態の一例を示す図である。
【考案を実施するための最良の形態】
【００１４】
本考案を実施するための形態について、図面を用いて以下に説明する。尚、以下の説明は本考案の実施形態の一例を示したものであって、本発明は以下に例示する実施形態に限定されるものではない。
【００１５】
本考案にかかる捕虫紙は、表面が粘着力を有するテープ状の捕虫紙で、図２の本考案にかかる捕虫紙が収納されたカートリッジの例に示したように、両端に巻き取りリール２１、２２を備えたカートリッジ２０内に収納された状態で、図３の本考案にかかる捕虫紙を用いた捕虫器の一例に示したように、カートリッジ２０を捕虫器本体３０に装着して使用される。
【００１６】
使用前は一方のリールに巻き取られた状態にある本考案にかかる捕虫紙は、捕虫器本体３０を起動すると一定の速度で逆側のリールに巻き取られていくが、捕虫紙１０が露出するカートリッジ２０上面の上部には、図３の例に示したように誘引灯３１が設けられていて、誘引されたイエバエ、キンバエ類、ショウジョウバエ等の虫が、捕虫紙１０の露出部に付着する。
【００１７】
虫が付着して粘着力が低下した部分はリールに巻き取られていくので、捕虫紙１０の露出部分の粘着力が常に保たれるとともに、時間毎の捕虫量を計測することも可能となっており、表面の色彩を一定間隔で変化させる等、捕虫紙１０の長さを容易に視認できる外観とすれば、時間毎の捕虫量の計測が容易になる。
【００１８】
捕虫器本体３０を、図４の本考案にかかる捕虫紙を用いた捕虫器の使用状態の一例に示したようなカバー３２で覆うことによって、居住空間のように捕虫器の存在を目立たせたくない環境下においても、照明器具のような外観で本物品を用いた捕虫器を動作させることができる。
【００１９】
図１は、本考案にかかる捕虫紙の表面図の一例を示している。図１において、捕虫紙１０のうち、下方の薄いグレーで示された帯状の領域を除く、濃い二色のグレーに着色されている領域に対応する赤系色着色部１１は、赤系色に着色されている。下方の薄いグレーで示された帯状の領域の色彩は特に限定されるものではないが、例えば、薄いグレーに着色することとすればよい。
【００２０】
図１の表面図は左右にのみ連続するものであり、表面図に記載した模様は、連続する模様の１単位を表している。図面に表した部分の捕虫紙１０の大きさは、縦約７６ｍｍ（赤系色着色部１１は縦約６５ｍｍ）である。
【００２１】
一般に捕虫紙の表面は、捕獲された虫を確認する際の視認性等を考慮して黄緑系に着色されたものがほとんどであるが、出願人の実験によると、赤系色着色部１１を赤系色に着色した図１の例に示した捕虫紙１０は、一般的な黄緑色の捕虫紙に比べて、イエバエは約１．６倍、キンバエ類は約１．８倍、キイロショウジョウバエは約２．０倍の捕獲率が認められた。
【００２２】
本考案にかかる捕虫紙は、捕獲効果の他に、虫の捕獲量を計測しやすい視認性や、居住空間に設置した際（カートリッジ交換のためのカバーの着脱時や、視角によってカバー内部が見えてしまう場合等）に不快感を生じさせないデザイン性も求められるため、赤系色による高い捕獲効果を実現しながら、捕獲量を計測できる程度に虫の死骸を視認できる視認性と一見しただけでは虫の死骸が目立ちにくい深めの色合いのバランスをとり、居住空間等にも馴染みやすい色調を考慮することが好ましい。
【符号の説明】
【００２３】
１０  捕虫紙
１１  赤系色着色部
２０  カートリッジ
２１  巻き取りリール
２２  巻き取りリール
３０  捕虫器本体
３１  誘引灯
３２  カバー
【図１】
0003235180.tif 000003
【図２】
0003235180.tif 000004
【図３】
0003235180.tif 000005
【図４】
0003235180.tif 000006